(57)【要約】【課題】構成部品や組立工程の増加を招くことなく、接続端子の保持力を向上させることのできるコネクタを提供すること。【解決手段】雌型接続端子２０は、当該雌型接続端子２０の中心軸に対して対称的に一対の外周壁２２ｂ，２２ｃから突出する一対の抜け止め用のバネ片２９Ａ，２９Ｂと、一対のバネ片２９Ａ，２９Ｂが突出する一対の外周壁とは別の外周壁上で、バネ片２９Ａ，２９Ｂの装備位置よりも雌型接続端子２０の後端寄りにずれた位置に形成されたランス係合部２３とを備え、雌型接続端子２０を端子収容孔３１に収容するコネクタハウジング３０は、端子収容孔３１への挿入が完了した際に雌型接続端子２０の抜け方向への移動を規制する手段として、雌型接続端子２０のランス係合部２３に係合するランス３７と、一対のバネ片２９Ａ，２９Ｂと係合する一対のバネ片係止部３８Ａ，３８Ｂと、を備える。【選択図】図９
2012221578.tif 000002
【特許請求の範囲】
【請求項１】
金属板の折り曲げ成形により略角筒状に形成された角筒状部と、該角筒状部の外周壁から突出するように前記外周壁を構成する壁板の一部を切り起こして形成された抜け止め用のバネ片と、を備えた接続端子と、
前記接続端子を収容する端子収容孔と、前記端子収容孔への挿入が完了した前記接続端子の前記バネ片と係合して前記接続端子の抜け止めを行うバネ片係止部と、を備えたコネクタハウジングと、
を備えるコネクタであって、
前記接続端子は、当該接続端子の中心軸に対して対称的に前記角筒状部の対向する一対の外周壁から突出する一対の前記バネ片と、前記一対のバネ片が突出する一対の外周壁とは別の外周壁上で、前記バネ片の装備位置よりも接続端子の後端寄りにずれた位置に形成されたランス係合部を備え、
前記コネクタハウジングは、前記端子収容孔への挿入が完了した際に前記接続端子の抜け方向への移動を規制する手段として、前記接続端子のランス係合部に係合するランスと、前記一対のバネ片と係合する一対のバネ片係止部と、を備えることを特徴とするコネクタ。
【請求項２】
前記一対のバネ片は、前記接続端子の挿入方向の先端側から後端に向かって延出する板ばねで、自由端である後端部をバネ片係止部としての係合面に当接して、前記接続端子の抜け方向への移動を規制することを特徴とする請求項１に記載のコネクタ。
【発明の詳細な説明】
【技術分野】
【０００１】
本発明は、コネクタハウジングに収容した接続端子を抜け止めする機構として、金属板製の接続端子の角筒状部にバネ片が突設されると共に、コネクタハウジングには前記バネ片と係合して前記接続端子の抜け止めを行うバネ片係止部が装備されるコネクタに関する。
【背景技術】
【０００２】
図１０及び図１１は、下記特許文献１に開示されたコネクタを示している。
このコネクタ１００は、図１０に示すように、金属板のプレス成形により形成される接続端子１１０と、この接続端子１１０を収容保持する樹脂製のコネクタハウジング１２０とを備えている。
【０００３】
接続端子１１０は、所謂雌型の接続端子で、図１１に示すように、金属板の折り曲げ成形により略角筒状に形成された角筒状部１１１と、この角筒状部１１１の後端に連なる電線接続部１１２と、角筒状部１１１上に形成された抜け止め用のバネ片１１３と、を備えている。
【０００４】
抜け止め用のバネ片１１３は、角筒状部１１１の外周壁から突出するように、外周壁を構成する上部壁板１１１ａの一部を切り起こして形成された舌状の板ばねである。
【０００５】
このバネ片１１３は、角筒状部１１１の先端側から後端側に向かって接続端子の挿入方向に沿って延出していて、自由端である先端部１１３ａが後述するコネクタハウジング側の係止面に当接することで、抜け方向への移動を規制する。
【０００６】
コネクタハウジング１２０は、図１０に示すように、接続端子１１０を収容する端子収容孔１２１と、端子収容孔１２１に臨んで配置されたバネ片係止部１２２と、を備える。
【０００７】
バネ片係止部１２２は、図１０に示すように、端子収容孔１２１への挿入が完了した接続端子１１０のバネ片１１３と係合して接続端子１１０の抜け止めを行う係合孔である。
【０００８】
接続端子１１０の端子収容孔１２１への挿入が完了した状態で、接続端子１１０に抜け方向（図１０で矢印Ｘ１方向）の引張荷重が作用すると、図示のように、バネ片１１３の先端部１１３ａがバネ片係止部１２２の内周面に当接して、抜け止めされる。
【先行技術文献】
【特許文献】
【０００９】
【特許文献１】特開平１１−３７３９号公報
【発明の概要】
【発明が解決しようとする課題】
【００１０】
ところが、特許文献１のコネクタ１００の場合、抜け止めは、接続端子１１０に切り起こしにより形成した単一のバネ片１１３とコネクタハウジング１２０のバネ片係止部１２２との係合のみで行っている。しかも、バネ片１１３は接続端子１１０の挿入方向に沿って延出した形状のため、抜き方向の荷重が作用したときに、バネ片１１３に撓み変形が生じ易く、十分な保持力を確保することが難しいという問題があった。
【００１１】
そして、接続端子１１０に対する保持力が不十分な場合は、抜き方向の外部荷重が作用したときに接続端子１１０にガタつきが生じて、電気的な接続性の低下を招くおそれがあった。
【００１２】
このような不都合の発生を防止するため、コネクタハウジング１２０へ接続端子１１０を装着後、コネクタハウジング１２０に別体のリテーナを組み付けることで接続端子１１０を２重係止状態にして、接続端子１１０に対する保持力を向上させるようにしたコネクタも提案されている。
【００１３】
しかし、別体のリテーナ等を使用する方法では、構成部品や組立工程の増加という問題が生じる。
【００１４】
そこで、本発明の目的は、上記課題を解消することに係り、構成部品や組立工程の増加を招くことなく、接続端子の保持力を向上させることのできるコネクタを提供することにある。
【課題を解決するための手段】
【００１５】
本発明の前述した目的は、下記の構成により達成される。
（１）金属板の折り曲げ成形により略角筒状に形成された角筒状部と、該角筒状部の外周壁から突出するように前記外周壁を構成する壁板の一部を切り起こして形成された抜け止め用のバネ片と、を備えた接続端子と、
前記接続端子を収容する端子収容孔と、前記端子収容孔への挿入が完了した前記接続端子の前記バネ片と係合して前記接続端子の抜け止めを行うバネ片係止部と、を備えたコネクタハウジングと、
を備えるコネクタであって、
前記接続端子は、当該接続端子の中心軸に対して対称的に前記角筒状部の対向する一対の外周壁から突出する一対の前記バネ片と、前記一対のバネ片が突出する一対の外周壁とは別の外周壁上で、前記バネ片の装備位置よりも接続端子の後端寄りにずれた位置に形成されたランス係合部を備え、
前記コネクタハウジングは、前記端子収容孔への挿入が完了した際に前記接続端子の抜け方向への移動を規制する手段として、前記接続端子のランス係合部に係合するランスと、前記一対のバネ片と係合する一対のバネ片係止部と、を備えることを特徴とするコネクタ。
【００１６】
（２）前記一対のバネ片は、前記接続端子の挿入方向の先端側から後端に向かって延出する板ばねで、自由端である後端部をバネ片係止部としての係合面に当接して、前記接続端子の抜け方向への移動を規制することを特徴とする上記（１）に記載のコネクタ。
【００１７】
上記（１）の構成によれば、コネクタハウジングに対して接続端子を抜け止めする保持力は、接続端子の一対のバネ片とコネクタハウジングの一対のバネ片係止部との間の係合力に、接続端子のランス係合部とコネクタハウジングのランスとの係合力を加算したものとなり、３箇所で保持力を得るため、バネ片とバネ片係止部との間の係合力だけで接続端子の抜け方向への移動を規制していた従来のコネクタと比較すると、接続端子に対する保持力を大幅に向上させることができる。しかも、リテーナ等の別体の部品追加をしていない。
【００１８】
従って、構成部品や組立工程の増加を招くことなく、接続端子の保持力を向上させることができる。
【００１９】
また、上記（１）の構成によれば、抜け止め用のバネ片は、接続端子の角筒状部において対向する一対の外周壁に設けられていて、角筒状部の対向する両側でコネクタハウジングとの接触を果たすため、接続端子の挿入方向と直交する方向へのガタつきを抑止する効力も得られ、コネクタにおける耐振動性を向上させることもできる。
【００２０】
上記（２）の構成によれば、接続端子の両側に装備した一対のバネ片は接続端子の挿入方向の先端側から後端に向かって延出していて、接続端子をコネクタハウジングの端子収容孔に挿入する操作の際、端子収容孔の内壁面に接触する各バネ片の先端に撓み変形が生じ易い。そのため、比較的に小さい摺動摩擦で接続端子を端子収容孔に挿入することができる。
【００２１】
また、端子収容孔の内壁面とバネ片との接触圧が、角筒状部の両側で得られるため、挿入時に角筒状部に振れが生じ難く、コネクタハウジングに対する接続端子の装着性を向上させることもできる。
【発明の効果】
【００２２】
本発明によるコネクタによれば、コネクタハウジングに対して接続端子を抜け止めする保持力は、接続端子の一対のバネ片とコネクタハウジングの一対のバネ片係止部との間の係合力に、接続端子のランス係合部とコネクタハウジングのランスとの係合力を加算したものとなり、３箇所で保持力を得るため、バネ片とバネ片係止部との間の係合力だけで接続端子の抜け方向への移動を規制していた従来のコネクタと比較すると、接続端子に対する保持力を大幅に向上させることができる。しかも、リテーナ等の別体の部品追加をしていない。
【００２３】
従って、構成部品や組立工程の増加を招くことなく、接続端子の保持力を向上させることができる。
【００２４】
また、本発明によるコネクタによれば、抜け止め用のバネ片は、接続端子の角筒状部において対向する一対の外周壁に設けられていて、角筒状部の対向する両側でコネクタハウジングとの接触を果たすため、接続端子の挿入方向と直交する方向へのガタつきを抑止する効力も得られ、コネクタにおける耐振動性を向上させることもできる。
【図面の簡単な説明】
【００２５】
【図１】本発明に係るコネクタで使用する接続端子の一実施形態の斜視図である。
【図２】図１に示した接続端子の正面図である。
【図３】図１に示した接続端子の先端部の縦断面図である。
【図４】図１に示した接続端子を収容するコネクタハウジングの端子収容孔周辺の縦断面図である。
【図５】図４のＡ矢視図である。
【図６】図４に示したランスの拡大図である。
【図７】図１の接続端子を収容したコネクタハウジングの正面図である。
【図８】図７のＢ−Ｂ断面図である。
【図９】図７のＣ−Ｃ断面図である。
【図１０】従来のコネクタの縦断面図である。
【図１１】図１０に示した接続端子の斜視図である。
【発明を実施するための形態】
【００２６】
以下、本発明に係るコネクタの好適な実施形態について、図面を参照して詳細に説明する。
【００２７】
この一実施形態のコネクタは、図１〜図３に示す雌型接続端子２０と、図４〜図６に示すコネクタハウジング３０とを、備えている。
【００２８】
図１は本発明の一実施形態の接続端子の斜視図、図２は図１に示した接続端子の正面図、図３は図１に示した接続端子の先端部の縦断面図である。また、図４は図１に示した接続端子を収容するコネクタハウジングの端子収容孔周辺の縦断面図、図５は図４のＡ矢視図、図６は図４に示したランスの拡大図である。
【００２９】
一実施形態の雌型接続端子２０は、金属板のプレス成形品である。雌型接続端子２０は、先端（図３では右端）に金属板の折り曲げ成形により略角筒状に形成された端子嵌合部２１と、端子嵌合部２１の後端に連なる角筒構造の角筒状部２２と、角筒状部２２の後端に連なる電線圧着部２４と、を備える。
【００３０】
端子嵌合部２１は、接続相手となる雄タブ端子（不図示）の先端のタブが嵌合可能な角筒構造で、タブが嵌合接続される。端子嵌合部２１の内部には、図３に示すように、挿入されたタブを上面２１ａ側に押圧してタブとの導通接続を実現する押圧バネ片２６が、設けられている。
【００３１】
本実施形態の場合、角筒状部２２は、端子嵌合部２１の後端側を延長した角筒構造である。角筒状部２２を構成する４面の外周壁の内の１つである上部壁２２ａには、後述のランス３７の突起部３７ｂが係合するランス係合部２３が形成されている。また、本実施形態の角筒状部２２には、一対の抜け止め用のバネ片２９Ａ，２９Ｂが形成されている。これらの一対のバネ片２９Ａ，２９Ｂは、上部壁２２ａの左右の両側縁に連なる一対の側壁部２２ｂ，２２ｃに形成されている。
【００３２】
ランス係合部２３は、後述のコネクタハウジング３０におけるランス３７の突起部３７ｂが係合する略四角形の開口である。このランス係合部２３は、図１に示す雌型接続端子２０の中心軸Ｃ２０に対して、幅方向（図１の矢印Ｙ１方向）に偏心した状態で形成されている。また、本実施形態の場合、ランス係合部２３は、後述のランス３７の突起部３７ｂが角筒状部２２の片側の側壁部２２ｂにも係合可能なように、後述のランス３７と対向する角筒状部２２の上部壁２２ａと該上部壁の片側の側縁に連なる側壁部２２ｂとに跨って開口（切り欠き）を形成することで形成されている。
【００３３】
本実施形態の場合、ランス係合部２３は、後述のバネ片２９Ａ，２９Ｂが突出する外周壁である一対の側壁部２２ｂ，２２ｃとは別の外周壁である上部壁２２ａ上で、後述のバネ片２９Ａ，２９Ｂの装備位置よりも雌型接続端子２０の後端寄り（図１の矢印Ｘ２方向寄り）にずれた位置に形成されている。
【００３４】
このランス係合部２３の先端側の縁部が、ランス３７の突起部３７ｂとの当接により抜け止めを実現するランス係合面２３ａとなる。
【００３５】
本実施形態のランス係合面２３ａは、図１に示すように、上部壁２２ａにおける開口の縁部である第１係合面２３１と、側壁部２２ｂにおける開口の縁部で第１係合面２３１の端から上部壁２２ａと略直交する方向に延在する第２係合面２３２とを備えた鉤形（Ｌ字形）の係合面である。
【００３６】
抜け止め用の一対のバネ片２９Ａ，２９Ｂは、角筒状部２２の対向する一対の外周壁である側壁部２２ｂ，２２ｃから突出するように、これらの側壁部２２ｂ，２２ｃを構成する壁板の一部を切り起こして形成されている。また、本実施形態の場合、一対のバネ片２９Ａ，２９Ｂは、雌型接続端子２０の中心軸Ｃ２０（図１参照）に対して対称的に、対向する側壁部２２ｂ，２２ｃに配置されている。また、一対のバネ片２９Ａ，２９Ｂは、ランス係合部２３よりも端子の先端寄りにずれた位置に形成されている。
【００３７】
本実施形態における一対のバネ片２９Ａ，２９Ｂは、雌型接続端子２０の挿入方向の先端側から後端に向かって延出する板バネである。これらの一対のバネ片２９Ａ，２９Ｂは、図９に示すように、自由端である後端部２９Ａａ，２９Ｂａを、バネ片係止部３８Ａ，３８Ｂとしての係合面３８Ａａ，３８Ｂａに当接して、雌型接続端子２０の抜け方向（図８の矢印Ｘ４方向）への移動を規制する。
【００３８】
電線圧着部２４は、電線の導体に圧着される導体加締め片２７と、電線の被覆部に加締め付けられる被覆加締め片２８とを備えている。
【００３９】
図４〜図６に示したコネクタハウジング３０は、雌型接続端子２０を収容保持する雌型ハウジングで、プラスチック材料による射出成型品である。図７〜図９は、雌型接続端子２０を収容保持した状態を示している。
【００４０】
このコネクタハウジング３０は、図４に示すように、雌型接続端子２０を収容する端子収容孔３１と、雌型接続端子２０に嵌合接続する不図示の雄タブ端子のタブが挿入されるタブ挿通口３３と、端子収容孔３１への挿入が完了した雌型接続端子２０の抜けを防止する手段としてのランス３７及びバネ片係止部３８と、を備える。
【００４１】
端子収容孔３１は、ハウジング後端から雌型接続端子２０が挿入可能なように、コネクタハウジング３０の後端面（基端面）３０ａ（図４参照）に開口した孔である。
【００４２】
タブ挿通口３３は、ハウジング先端に貫通形成された横断面形状が四角形の孔で、端子収容孔３１の先端側に連通している。
【００４３】
ランス３７は、図４〜図６に示すように、端子収容孔３１の長手方向に沿って延在する片持ち梁状の弾性片３７ａと、弾性片３７ａの先端側から端子収容孔３１内に突出する突起部３７ｂとを備えている。ランス３７は、雌型接続端子２０の端子収容孔３１への挿入が完了した際に、突起部３７ｂが雌型接続端子２０のランス係合部２３に係合して、雌型接続端子２０の抜け方向（図８の矢印Ｘ４方向）への移動を規制する。
【００４４】
バネ片係止部３８Ａ，３８Ｂは、端子収容孔３１への挿入が完了した雌型接続端子２０のバネ片２９Ａ，２９Ｂと係合して雌型接続端子２０の抜け止めを行う。
【００４５】
本実施形態の場合、バネ片係止部３８Ａ，３８Ｂは、図４及び図５にも示すように、端子収容孔３１の両側面に形成されている。バネ片係止部３８Ａ，３８Ｂは、バネ片２９Ａ，２９Ｂが嵌合可能に、ハウジング先端に開口する溝状に形成されている。バネ片係止部３８Ａ，３８Ｂは、ハウジング後端側に位置する溝の終端部が、バネ片２９Ａ，２９Ｂの抜け方向への移動を規制する係合面３８Ａａ，３８Ｂａになっている。これらの係合面３８Ａａ，３８Ｂａは、雌型接続端子２０に抜け方向の外部荷重が作用して雌型接続端子２０が抜け方向に変位するとき、バネ片２９Ａ，２９Ｂの後端部２９Ａａ，２９Ｂａが当接することで、雌型接続端子２０の抜け方向への移動を規制する。
【００４６】
以上に説明した一実施形態のコネクタでは、コネクタハウジング３０に対して雌型接続端子２０を抜け止めする保持力は、雌型接続端子２０の一対のバネ片２９Ａ，２９Ｂとコネクタハウジング３０の一対のバネ片係止部３８Ａ，３８Ｂとの間の係合力に、雌型接続端子２０のランス係合部２３とコネクタハウジング３０のランス３７との係合力を加算したものとなり、３箇所で保持力を得るため、単一のバネ片と単一のバネ片係止部との間の係合力だけで接続端子の抜け方向への移動を規制していた従来のコネクタと比較すると、雌型接続端子２０に対する保持力を大幅に向上させることができる。しかも、リテーナ等の別体の部品追加をしていない。
【００４７】
従って、構成部品や組立工程の増加を招くことなく、雌型接続端子２０の保持力を向上させることができる。
【００４８】
また、以上に説明した一実施形態のコネクタでは、抜け止め用のバネ片２９Ａ，２９Ｂは、雌型接続端子２０の角筒状部２２において対向する一対の外周壁に設けられていて、角筒状部２２の対向する両側でコネクタハウジング３０との接触を果たすため、雌型接続端子２０の挿入方向と直交する方向へのガタつきを抑止する効力も得られ、コネクタにおける耐振動性を向上させることもできる。
【００４９】
また、以上に説明した一実施形態のコネクタでは、雌型接続端子２０の両側に装備した一対のバネ片２９Ａ，２９Ｂは雌型接続端子２０の挿入方向の先端側から後端に向かって延出していて、雌型接続端子２０をコネクタハウジング３０の端子収容孔３１に挿入する操作の際、端子収容孔３１の内壁面に接触する各バネ片２９Ａ，２９Ｂの先端に撓み変形が生じ易い。そのため、比較的に小さい摺動摩擦で雌型接続端子２０を端子収容孔３１に挿入することができる。また、端子収容孔３１の内壁面とバネ片２９Ａ，２９Ｂとの接触圧が、角筒状部２２の両側で得られるため、挿入時に角筒状部２２に振れが生じ難く、コネクタハウジング３０に対する雌型接続端子２０の装着性を向上させることもできる。
【００５０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００５１】
２０  雌型接続端子
２２  角筒状部
２２ａ  上部壁（外周壁）
２２ｂ，２２ｃ  側壁部（外周壁）
２３  ランス係合部
２３ａ  ランス係合面
２９Ａ，２９Ｂ  バネ片
３０  コネクタハウジング
３１  端子収容孔
３７  ランス
３７ｂ  突起部
３８Ａ，３８Ｂ  バネ片係止部
【図１】
2012221578.tif 000003
【図２】
2012221578.tif 000004
【図３】
2012221578.tif 000005
【図４】
2012221578.tif 000006
【図５】
2012221578.tif 000007
【図６】
2012221578.tif 000008
【図７】
2012221578.tif 000009
【図８】
2012221578.tif 000010
【図９】
2012221578.tif 000011
【図１０】
2012221578.tif 000012
【図１１】
2012221578.tif 000013